【事件の表示】
　特許第３０１１６７２号「接着用シート」の請求項１に係る特許に対する特許異議の申立てについて、次のとおり決定する。
【結　論】
　訂正を認める。
　特許第３０１１６７２号の請求項１に係る特許を維持する。
【理　由】
I　手続の経緯
　特許第３０１１６７２号の請求項１に係る発明についての出願は、平成９年３月１１日に出願され、平成１１年１２月１０日に特許権の設定登録がされ、その後、トッパン・フォームズ株式会社より特許異議の申立てがされ、取消理由が通知され、その指定期間内である平成１３年４月２４日に訂正請求（後日取下）がされ、再度の取消理由が通知され、その指定期間内である平成１３年８月７日に訂正請求がされたものである。
II　訂正の適否についての判断
１　訂正の内容
ア　訂正事項ａ
　特許請求の範囲の請求項１の「基材に対して感圧接着層が設けられ、対象シートが前記感圧接着層により剥離可能または剥離不能に接着される接着構造を構成するための接着用シートであって、基材の少なくとも片面に、感圧接着層、１層以上の機能層をこの順で有し、前記機能層は、これがない感圧接着層のみの場合に比較して、前記接着用シートの用途に対する前記感圧接着層の適合性および前記感圧接着層の接着性のうち少なくとも一方の機能を高めるものであるとともに、当該機能層自体は対象シートに対する接着性を有しないものであることを特徴とする接着用シート。」を、「基材に対して感圧接着層が設けられ、対象シートが前記感圧接着層相互を加圧接着することにより剥離可能に接着される接着構造を構成するための接着用シートであって、基材の少なくとも片面に、感圧接着層、１層以上の機能層をこの順で有し、前記機能層は酸化防止剤、紫外線吸収防止剤、滑剤、アンチスリップ剤、微粒子充填剤、緩衝剤、帯電防止剤、耐ブロッキング防止剤又はプリンタートナー定着剤のうちの１種または複数種をもって形成する２ミクロン以下の層であり、これがない感圧接着層のみの場合に比較して、前記接着用シートの用途に対する前記感圧接着層の適合性および前記感圧接着層の接着性のうち少なくとも一方の機能を高めるものであるとともに、当該機能層自体は対象シートに対する接着性を有しないものであることを特徴とする接着用シート。」と訂正をする。
イ　訂正事項ｂ
　明細書段落【0013】の「上記課題を解決した請求項１記載の本発明は、基材に対して感圧接着層が設けられ、対象シートが前記感圧接着層により剥離可能または剥離不能に接着される接着構造を構成するための接着用シートであって、基材の少なくとも片面に、感圧接着層、１層以上の機能層をこの順で有し、前記機能層は、これがない感圧接着層のみの場合に比較して、前記接着用シートの用途に対する前記感圧接着層の適合性および前記感圧接着層の接着性のうち少なくとも一方の機能を高めるものであるとともに、当該機能層自体は対象シートに対する接着性を有しないものであることを特徴とする接着用シートである。」を、「上記課題を解決した請求項１記載の本発明は、基材に対して感圧接着層が設けられ、対象シートが前記感圧接着層相互を加圧接着することにより剥離可能に接着される接着構造を構成するための接着用シートであって、基材の少なくとも片面に、感圧接着層、１層以上の機能層をこの順で有し、前記機能層は酸化防止剤、紫外線吸収防止剤、滑剤、アンチスリップ剤、微粒子充填剤、緩衝剤、帯電防止剤、耐ブロッキング防止剤又はプリンタートナー定着剤のうちの１種または複数種をもって形成する２ミクロン以下の層であり、これがない感圧接着層のみの場合に比較して、前記接着用シートの用途に対する前記感圧接着層の適合性および前記感圧接着層の接着性のうち少なくとも一方の機能を高めるものであるとともに、当該機能層自体は対象シートに対する接着性を有しないものであることを特徴とする接着用シートである。」と訂正をする。
ウ　訂正事項ｃ
　明細書段落【0020】の記載を削除する。
エ　訂正事項ｄ
　明細書段落【0028】の「この機能剤としては、多くのものを挙げることができる。たとえば、酸化防止剤、紫外線吸収防止剤、滑剤、顔料、アンチスリップ剤、微粒子充填剤、緩衝剤、帯電防止剤、界面活性剤、増粘剤、消泡剤、離型剤、耐ブロッキング防止剤、プリンタートナー定着剤等がある。」を、「この機能剤としては、酸化防止剤、紫外線吸収防止剤、滑剤、アンチスリップ剤、微粒子充頃剤、緩衝剤、帯電防止剤、耐ブロッキング防止剤、プリンタートナー定着剤がある。」と訂正する。
オ　訂正事項ｅ
　明細書段落【0031】の「しかるに、本発明によれば、機能層を設けることにより、接着剤に悪影響を与えることなく、接着性シートの用途に対する適合性を機能層中の機能剤によって発揮させることができる。さらに、機能層は薄い膜厚のみでその機能を発揮させることができるので、相対的に接着剤に添加剤を添加する場合に比較して少量で足り、コストの低減を図ることができる。機能層は接着性を改良するものであってもよい。」を、「しかるに、本発明によれば、機能層を設けることにより、接着剤に悪影響を与えることなく、接着性シートの用途に対する適合性を機能層中の機能剤によって発揮させることができる。さらに、機能層は薄い膜厚のみでその機能を発揮させることができるので、相対的に接着剤に添加剤を添加する場合に比較して少量で足り、コストの低減を図ることができる。」と訂正する。
カ　訂正事項ｆ
　明細書段落【0036】の「この場合において、本発明に係る機能層は、電子複写印刷に対しては電気伝導剤層、プリンタートナー定着層、インクジェット印刷では微細粒子やバインダーを混合したインキ吸収層、耐紫外線対策には、紫外線吸収剤層、配送用の伝票類用途に於いては、耐水化層等などとして形成できる。」を、「この場合において、本発明に係る機能層は、電子複写印刷に対しては電気伝導剤層、プリンタートナー定着層、耐紫外線対策には、紫外線吸収剤層、配送用の伝票類用途に於いては、耐水化層等などとして形成できる。」と訂正する。
２　訂正の目的の適否、新規事項の有無及び拡張・変更の存否
　訂正事項ａは、対象シートが感圧接着層相互を加圧接着することにより剥離可能に接着されるものに限定し、また、機能層として、酸化防止剤、紫外線吸収防止剤、滑剤、アンチスリップ剤、微粒子充填剤、緩衝剤、帯電防止剤、耐ブロッキング防止剤又はプリンタートナー定着剤のうちの1種または複数種をもって形成する2ミクロン以下の層に限定するものであるから、特許請求の範囲の滅縮を目的とする明細書の訂正に該当し、そして、当該訂正は、明細書段落【0016】〜【0018】、【0027】、【0028】、【0038】の記載及び図１〜図４に図示された事項に基づくものであるから、新規事項の追加に該当せず、実質上特許請求の範囲を拡張し、又は変更するものではない。
　また、訂正事項ｂないしｆは、特許請求の範囲の訂正に伴って、発明の詳細な説明との整合を図るものであるから、明りょうでない記載の釈明を目的とする明細書の訂正に該当し、新規事項の追加に該当せず、実質上特許請求の範囲を拡張し、又は変更するものではない。
３　むすび
　以上のとおりであるから、上記訂正は、特許法第１２０条の４第２項及び同条第３項において準用する第１２６条第２項及び第３項の規定に適合するので、当該訂正を認める。
III　特許異議の申立てについての判断
ｌ　異議申立ての理由の概要
　異議申立人は、甲第１号証（特開平３−１６９５９６号公報）を提出し、訂正前の請求項１に係る発明は、甲第１号証に記載された発明であるか、あるいは甲第１号証に記載された発明に基づいて当業者が容易に発明をすることができたものであり、また、本件明細書には記載不備があるから、訂正前の請求項１に係る発明の特許は、特許法第２９条第１項、第２項及び同法第３６条第４項（なお、異議申立人は平成６年法律第１１６号による改正の特許法第３６条第６項第３号を根拠条文として掲げているが、その異議申立ての理由の趣旨からみて同法第３６条第４項と解するのが相当である。）の規定に違反してされたものであり、取り消されるべきである旨主張している。
２　本件発明
　上記IIで示したように、上記訂正が認められるから、本件請求項１に係る発明（以下「本件発明」という。）は、平成１３年８月７日付け訂正明細書の特許請求の範囲の請求項１に記載された事項により特定される次のとおりのものである。
「【請求項１】基材に対して感圧接着層が設けられ、対象シートが前記感圧接着層相互を加圧接着することにより剥離可能に接着される接着構造を構成するための接着用シートであって、基材の少なくとも片面に、感圧接着層、１層以上の機能層をこの順で有し、前記機能層は酸化防止剤、紫外線吸収防止剤、滑剤、アンチスリップ剤、微粒子充填剤、緩衝剤、帯電防止剤、耐ブロッキング防止剤又はプリンタートナー定着剤のうちの１種または複数種をもって形成する２ミクロン以下の層であり、これがない感圧接着層のみの場合に比較して、前記接着用シートの用途に対する前記感圧接着層の適合性および前記感圧接着層の接着性のうち少なくとも一方の機能を高めるものであるとともに、当該機能層自体は対象シートに対する接着性を有しないものであることを特徴とする接着用シート。」
３　甲号証に記載された事項
　甲第１号には「（１）１ｋｇ／ｃｍ２の圧力を掛けた場合においては実質的な接着性を示さない三枚以上の多重シートを５０ｋｇ／ｃｍ２以上の圧力下で処理して接合した状態をなし、且つ接合面の情報を読むことが出来るように各接合面が再剥離できることを特徴とする多重接合タイプの再剥離性感圧接着性葉書。」（特許請求の範囲請求項１）、「（２）接合するシートの少なくとも一枚が・・・支持体上に接着剤含有層と接着抑制物質層を順次積層したシートである・・・再剥離性の感圧接着性葉書。」（特許請求の範囲請求項２）、「接着剤含有層の形成に用い得る接着剤としては、例えばエチレン−酢酸ビニル系樹脂、アクリル系樹脂・・・合成ゴム系樹脂、天然ゴム系樹脂等が挙げられ、・・・接着剤含有層には、通常、層の粘着性や摩擦抵抗を低下させる・・・ために顔料が添加され、・・・顔料としては、例えばシリカ、・・・炭酸カルシウム、・・・酸化チタン・・・等が例示される。」（２頁右下欄１４行〜３頁左上欄１０行）、「接着抑制物質としては、上記接着剤含有層の接着力を制御する物質であれば如何なるものでもよく、例えばゼラチン、アルブミン、カゼイン、寒天・・・アルギン酸ソーダ、澱粉・・・アクリル樹脂・・・ワックス類：等が挙げられる。上記物質の内・・・加熱により容易に液状化するワックス類は、そのまま、或いは助剤を添加してインキ或いは塗液として使用出来るが、通常は水或いは非水溶性媒体に溶解或いは分散され、必要により更に助剤が添加されてインキ或いは塗液が調製される。その際に用いられる助剤としては、インキ或いは塗液の分野で公知のシリカ、水酸化アルミニウム、・・・酸化チタン等の顔料、・・・紫外線吸収剤、酸化防止剤・・・等が挙げられる。・・・塗布量は接着抑制物質によって変わり一概に言えないが、乾燥重量で０．０１〜１０ｇ／ｍ２程度である。」（３頁右上欄下より４行〜４頁右上欄下より２行）と記載されている。
４　対比・判断
ア　特許法第２９条第１項違反について
　甲第１号証には、接合するシートの少なくとも一枚が支持体上に接着剤含有層と接着抑制物質層を順次積層したシートであることが記載され、該接着剤含有層を形成する接着剤として、エチレン−酢酸ビニル系樹脂、アクリル系樹脂、合成ゴム系樹脂又は天然ゴム系樹脂等が使用されることが記載され、また、該接着抑制物質として、接着剤含有層の接着力を制御する物質であれば如何なるものでもよいと記載され、さらに、該接着抑制物質層に、シリカ、酸化チタン等の顔料、紫外線吸収剤、酸化防止剤等の助剤を添加し得ることが記載されている。
　そこで、本件発明と甲第１号証に記載された発明とを対比すると、本件発明の「基材」、「感圧接着層」は、それぞれ、甲第１号証の「支持体」、「接着剤含有層」に相当し、また、甲第１号証記載の助剤としては、上記したように、種々の機能を有するものが例示され、該助剤は、本件発明の機能層を構成する機能剤に相当し、さらに、該接着抑制物質層の厚みは約０．０１〜１０ミクロンと計算され、本件発明における機能層の厚み範囲を包含するものであるが、両者は、本件発明が感圧接着層上に機能剤のみで構成される機能層を積層させているのに対し、甲第１号証記載の発明は感圧接着層上に機能剤を添加した接着抑制物質層を積層させている点で相違している。
　そうすると、本件発明と甲第１号証記載の発明とは、その特定事項において相違しているから、本件発明は甲第１号証に記載された発明であるとはいえない。
イ　許法第２９条第２項違反について
　上記相違点について検討する。
　甲第１号証には、接着抑制物質に機能剤を添加して接着抑制物質層を構成することが記載されているが、「必要により更に助剤が添加されてインキ或いは塗液が調製される。」（４頁左上欄１２、１３行）と記載されているように、該接着抑制物質層は、機能剤を任意成分とし、接着抑制物質を必須成分とする層であり、あくまで接着抑制物質の存在を前提とするものであるから、接着抑制物質を除いて機能剤のみで接着抑制物質層を構成することについて示唆されているとはいえないから、本件発明において感圧接着層上に機能剤のみで構成される機能層を積層させることは、当業者が容易に想到し得たものとはいえない。
　そして、本件発明は、従来技術の、機能剤を感圧接着剤中に混入させると、その効果を発揮させるために所定量以上の添加が必要であり、その結果、接着性を低下させるなどの問題点を解決したものであり、接着剤に悪影響を与えることなく、接着シートの適合性を機能層中の機能剤によって発揮させることができ、接着剤に機能剤を添加する場合に比較して少量で足りるという顕著な効果を奏するものである（明細書段落【0009】、【0013】、【0014】及び【0031】参照。）。
　したがって、本件発明は甲第１号証に記載された発明に基づいて当業者が容易に発明をすることができたものとはいえない。
ウ　特許法第３６条違反について
　異議申立人は、本件明細書には接着性のない各種の機能剤をどのようなバインダー成分によって感圧接着層に定着させるのか記載されておらず、記載不備がある旨主張する。
　しかし、機能層自体は対象シートに対する接着性を有していないものの、感圧接着層自体は接着性を有しており、この接着性によって機能層が定着されることは明らかであるから、上記異議申立人の主張は採用できない。
５　むすび
　以上のとおりであるから、特許異議の申立ての理由及び証拠によっては、本件発明に係る特許を取り消すことができない。　
　また、他に本件発明に係る特許を取り消すべき理由を発見しない。
　よって、結論のとおり決定する。　　
【異議決定日】
平成１３年１１月６日（２００１．１１．６）
【訂正の要旨】
訂正の要旨
ａ．特許請求の範囲の請求項１の「基材に対して感圧接着層が設けられ、対象シートが前記感圧接着層により剥離可能または剥離不能に接着される接着構造を構成するための接着用シートであって、基材の少なくとも片面に、感圧接着層、１層以上の機能層をこの順で有し、前記機能層は、これがない感圧接着層のみの場合に比較して、前記接着用シートの用途に対する前記感圧接着層の適合性および前記感圧接着層の接着性のうち少なくとも一方の機能を高めるものであるとともに、当該機能層自体は対象シートに対する接着性を有しないものであることを特徴とする接着用シート。」を、「基材に対して感圧接着層が設けられ、対象シートが前記感圧接着層相互を加圧接着することにより剥離可能に接着される接着構造を構成するための接着用シートであって、基材の少なくとも片面に、感圧接着層、１層以上の機能層をこの順で有し、前記機能層は酸化防止剤、紫外線吸収防止剤、滑剤、アンチスリップ剤、微粒子充填剤、緩衝剤、帯電防止剤、耐ブロッキング防止剤又はプリンタートナー定着剤のうちの１種または複数種をもって形成する２ミクロン以下の層であり、これがない感圧接着層のみの場合に比較して、前記接着用シートの用途に対する前記感圧接着層の適合性および前記感圧接着層の接着性のうち少なくとも一方の機能を高めるものであるとともに、当該機能層自体は対象シートに対する接着性を有しないものであることを特徴とする接着用シート。」と訂正をする。
ｂ．発明の詳細な説明の【００１３】の「上記課題を解決した請求項１記載の本発明は、基材に対して感圧接着層が設けられ、対象シートが前記感圧接着層により剥離可能または剥離不能に接着される接着構造を構成するための接着用シートであって、基材の少なくとも片面に、感圧接着層、１層以上の機能層をこの順で有し、前記機能層は、これがない感圧接着層のみの場合に比較して、前記接着用シートの用途に対する前記感圧接着層の適合性および前記感圧接着層の接着性のうち少なくとも一方の機能を高めるものであるとともに、当該機能層自体は対象シートに対する接着性を有しないものであることを特徴とする接着用シートである。」を、「上記課題を解決した請求項１記載の本発明は、基材に対して感圧接着層が設けられ、対象シートが前記感圧接着層相互を加圧接着することにより剥離可能に接着される接着構造を構成するための接着用シートであって、基材の少なくとも片面に、感圧接着層、１層以上の機能層をこの順で有し、前記機能層は酸化防止剤、紫外線吸収防止剤、滑剤、アンチスリップ剤、微粒子充填剤、緩衝剤、帯電防止剤、耐ブロッキング防止剤又はプリンタートナー定着剤のうちの１種または複数種をもって形成する２ミクロン以下の層であり、これがない感圧接着層のみの場合に比較して、前記接着用シートの用途に対する前記感圧接着層の適合性および前記感圧接着層の接着性のうち少なくとも一方の機能を高めるものであるとともに、当該機能層自体は対象シートに対する接着性を有しないものであることを特徴とする接着用シートである。」と訂正をする。
ｃ．発明の詳細な説明の段落【００２０】の記載を削除する。
ｄ．発明の詳細な説明の段落【００２８】の「この機能剤としては、多くのものを挙げることができる。たとえば、酸化防止剤、紫外線吸収防止剤、滑剤、顔料、アンチスリップ剤、微粒子充填剤、緩衝剤、帯電防止剤、界面活性剤、増粘剤、消泡剤、離型剤、耐ブロッキング防止剤、プリンタートナー定着剤等がある。」を、「この機能剤としては、酸化防止剤、紫外線吸収防止剤、滑剤、アンチスリップ剤、微粒子充頃剤、緩衝剤、帯電防止剤、耐ブロッキング防止剤、プリンタートナー定着剤がある。」と訂正する。
ｅ．発明の詳細な説明の段落【００３１】の「しかるに、本発明によれば、機能層を設けることにより、接着剤に悪影響を与えることなく、接着性シートの用途に対する適合性を機能層中の機能剤によって発揮させることができる。さらに、機能層は薄い膜厚のみでその機能を発揮させることができるので、相対的に接着剤に添加剤を添加する場合に比較して少量で足り、コストの低減を図ることができる。機能層は接着性を改良するものであってもよい。」を、「しかるに、本発明によれば、機能層を設けることにより、接着剤に悪影響を与えることなく、接着性シートの用途に対する適合性を機能層中の機能剤によって発揮させることができる。さらに、機能層は薄い膜厚のみでその機能を発揮させることができるので、相対的に接着剤に添加剤を添加する場合に比較して少量で足り、コストの低減を図ることができる。」と訂正する。
ｆ．発明の詳細な説明の段落【００３６】の「この場合において、本発明に係る機能層は、電子複写印刷に対しては電気伝導剤層、プリンタートナー定着層、インクジェット印刷では微細粒子やバインダーを混合したインキ吸収層、耐紫外線対策には、紫外線吸収剤層、配送用の伝票類用途に於いては、耐水化層等などとして形成できる。」を、「この場合において、本発明に係る機能層は、電子複写印刷に対しては電気伝導剤層、プリンタートナー定着層、耐紫外線対策には、紫外線吸収剤層、配送用の伝票類用途に於いては、耐水化層等などとして形成できる。」と訂正する。
（５４）【発明の名称】
接着用シート
（５７）【特許請求の範囲】
　【請求項１】基材に対して感圧接着層が設けられ、対象シートが前記感圧接着層相互を加圧接着することにより剥離可能に接着される接着構造を構成するための接着用シートであって、
　基材の少なくとも片面に、感圧接着層、１層以上の機能層をこの順で有し、
　前記機能層は酸化防止剤、紫外線吸収防止剤、滑剤、アンチスリップ剤、微粒子充填剤、緩衝剤、帯電防止剤、耐ブロッキング防止剤又はプリンタートナー定着剤のうちの１種または複数種をもって形成する２ミクロン以下の層であり、これがない感圧接着層のみの場合に比較して、前記接着用シートの用途に対する前記感圧接着層の適合性および前記感圧接着層の接着性のうち少なくとも一方の機能を高めるものであるとともに、当該機能層自体は対象シートに対する接着性を有しないものであることを特徴とする接着用シート。
【発明の詳細な説明】
　【０００１】
　【発明の属する技術分野】
　本発明は、一時的に接着するが必要時に容易に剥離できる疑似接着性または剥離不能な永久接着性を示す接着用シートに関するものである。
　【０００２】
　【従来の技術】
　近年は、通信、郵送などの連絡手段により情報を伝達する量が多くなる一方で、個人情報など親展性を必要とする連絡手段や高品質の印刷が施されたダイレクトメール用途の通知手段が重要視され要望されている。
　【０００３】
　また、郵便法の改正に伴い、親展性を有する葉書システムが実用化され、普及している。親展性を有する葉書システムとは、個人情報などの各種情報が折り畳み内面に記載された往復葉書状の葉書を折り畳み、重ね合わせた部分を疑似接着して、情報を隠蔽したのち、郵送し、受取人が疑似接着部分を剥離して隠蔽情報を読み取るというものである。これら親展性を必要とする連絡手段には、例えば会社が従業員に、銀行やクレジット会社が顧客に親展性を有する情報を連絡するものもある。
　【０００４】
　かかる親展性を有する連絡手段として、疑似接着性シートを利用したものが提案され盛んに利用されている。疑似接着性シートは、基材の少なくとも片面の一部に、天然ゴム、合成ゴムなどのいわゆる感圧接着剤と、その接着剤の接着力を抑制する微粒子充填剤とを主体とするいわゆる疑似接着剤の層が設けられており、一時的に接着するが必要時に容易に剥離できる機能を有するものである。
　【０００５】
　他方、高品質の印刷が施されたダイレクトメール用途の通知手段においては、高品質の印刷を施すとき、紙への印刷の裏抜けを隠すために、印刷面の裏面側を２つ折りにし、その折り面相互を剥離不能（完全に剥離不能のほか、剥離ができるもののその剥離したとき接着層が破断したり、基材の一部または全体が破断するものも含む）に感圧接着剤により接着して永久接着性シートとしたものである。
　【０００６】
　この場合における疑似接着性シートおよび永久接着性シートは、基材に接着剤の単一の層が形成されたものである。
　【０００７】
　ところで、前記感圧接着剤は、黄変化、接着力の低下や硬化に代表されるように経時的に劣化する（以下、老化現象ともいう）ものであり、特に天然ゴムは老化現象による性能変化が著しい。一般に、感圧接着剤の老化現象は、大気中の酸素等との接触および紫外線吸収による酸化が主因とされている。
　【０００８】
　したがって、従来、疑似接着性シートまたは永久接着性シートにおいては、接着剤層中に接着剤の酸化を防止するために酸化防止剤および紫外線吸収防止剤が添加していた。
　【０００９】
　【発明が解決しようとする課題】
　しかし、これら酸化防止剤、紫外線吸収防止剤などの薬剤は、高価であるにもかかわらず、感圧接着剤中に混入させるものであるために、その効果を発揮させるためには、感圧接着剤層中に所定量以上の添加が必要となる。その結果、薬剤の種類によって、接着性を低下させるなどの難点がある。
　【００１０】
　他方、疑似接着性シートの場合には、顔料または微粒子充填剤なども塗料の物性の向上、印刷適正の向上、ブロッキング防止のために疑似接着剤の層中に所定量以上添加されるが、その粒子径や添加量によって特性が大きく左右される。同様なことは、印刷裏抜けを防止するために顔料または微粒子充填剤を添加する永久接着性シートにも当てはまる。
　【００１１】
　これらのことは、単一の接着剤層中に目的の特性に応じた各種の機能剤（材料または剤）を添加することに起因としていると考えられる。
　【００１２】
　したがって、本発明の主たる課題は、接着性シートとしての所要の特性を得るに際して、接着性シートの設計が容易である接着性シートを提供することにある。
　【００１３】
　【課題を解決するための手段】
　上記課題を解決した請求項１記載の本発明は、基材に対して感圧接着層が設けられ、対象シートが前記感圧接着層相互を加圧接着することにより剥離可能に接着される接着構造を構成するための接着用シートであって、基材の少なくとも片面に、感圧接着層、１層以上の機能層をこの順で有し、前記機能層は酸化防止剤、紫外線吸収防止剤、滑剤、アンチスリップ剤、微粒子充填剤、緩衝剤、帯電防止剤、耐ブロッキング防止剤又はプリンタートナー定着剤のうちの１種または複数種をもって形成する２ミクロン以下の層であり、これがない感圧接着層のみの場合に比較して、前記接着用シートの用途に対する前記感圧接着層の適合性および前記感圧接着層の接着性のうち少なくとも一方の機能を高めるものであるとともに、当該機能層自体は対象シートに対する接着性を有しないものであることを特徴とする接着用シートである。
　【００１４】
　本発明においては、従来、単一の接着剤層のみで、所要の特性を得るために各種の機能剤（材料または剤）を感圧接着剤中に添加するとの発想から脱却して、感圧接着層以外に１層以上の機能層を感圧接着層の外側に設け、所要の機能は機能層において発揮させることにより、機能剤そのものの機能をより発揮させたり、単一の感圧接着層中にも機能剤を添加することにより、感圧接着剤自体の特性の悪化を防止または抑制することができる。
　【００１５】
　【発明の実施の形態】
　以下、本発明に係る接着性シートについてさらに詳述する。
　【００１６】
　まず、本発明に係る疑似接着性シートの好適な使用形態について添付図面を参照しつつ説明する。図１に示す折り畳み疑似接着給与封筒は、紙などの基材１の表面に感圧接着層２が設けられこの感圧接着層２上に給与情報を印刷した後、（Ｂ）図に示すように、その情報印刷面３を内面に印刷面印刷方向中心線から２つに谷折りし、加圧接着させるものである。裏面には、宛名情報４などが印刷される。
　【００１７】
　図２に示す三つ折り葉書は、基材１の表裏面に感圧接着層２，２を形成し、その表面に隠蔽情報、通信情報、宛名情報４を印刷した後、（Ｂ）図に示すように、宛名印刷面が表面になるよう折り畳み加圧接着させるものである。
　【００１８】
図３に示す二つ折り葉書および図４に示す一部折り畳みタイプの葉書は、基材１の折り畳み内面側に感圧接着層２を形成し情報を印刷し、折り合わせて加圧接着するもので、いずれも感圧接着層２相互を重ね合わせて加圧接着するものである。
　【００１９】
　上記例においては、郵送された受取者は疑似接着面を見開くことにより隠蔽されていた印刷情報、印字を読み取ることができる。
　【００２０】
　【００２１】
　本発明の接着性シートは、上記例に掲げた用途以外にも広く好適に用いられる。例えば、本発明は、各種葉書、封書、報告書、タグ、ラベル、値札などにも好適に使用されるものであり、また、感圧接着剤を基材の一部のみに塗布したり、一部非塗布部を設けることで再剥離を容易ならしめることも可能である。
　【００２２】
　この他に、基材として、アート紙、コート紙、軽量コート紙等のいわゆる塗工紙を用い、塗工面上に接着剤層を設けた接着性シートも提案される。基材は合成紙やプラスチックフィルムであることを妨げない。
　【００２３】
　本発明において、感圧接着剤の基剤としては、ラテックス、具体的には天然ゴム系、合成ゴム系または合成樹脂系等の従来通常の感圧接着剤に使用されているものの中から任意に選択して用いることができるが、特に、天然ゴムを無硫黄加硫し、メタアクリル酸メチルと混合した天然ゴムラテックス、天然ゴムにメタアクリル酸メチルをグラフト共重合させて得られた天然ゴムラテックス、アクリル変性ゴムラテックス、ゴムラテックスと保護コロイド系アクリル共重合エマルジョンとの混合物が耐ブロッキング性、耐経時劣化性、インク着肉性等の点で好適である。
　【００２４】
　感圧接着剤の接着力を抑制する微粒子充填剤としては、従来一般に用いられている微粒子充填剤の全てを用いることができる。具体的には、一次または二次凝集体を形成しているカルサイト系沈降性炭酸カルシウム、一次または二次凝集体を形成しているアラゴナイト系沈降性炭酸カルシウム、スチレンビーズ、穀物澱粉、変性澱粉、合成微粒子シリカ、通常のカルシウムや、亜鉛、マグネシウム、アルミニウムもしくはチタン等の金属の酸化物、水酸化物、炭酸塩もしくは珪酸塩、またはこれらの混合物などが挙げられる。ポーラスな二次凝集体からなるホワイトカーボンも用いることができる。
　【００２５】
　接着剤の塗工方法としては、エアーナイフコーター、ブレードコーター、カーテンコーター、バーコーター、フレキソ印刷、スクリーン印刷等の塗工・印刷方式による塗工が好適である。
　【００２６】
　さて、本発明においては、図５に示すように、基材１０に感圧接着層１１を設けるほか、１層以上の機能層１２を設ける。この機能層としては、図６に示すように、機能層１２Ａ，１２Ｂとして２層設けるほか、３層以上設けることもできる。前記機能層１２または１２Ａ，１２Ｂは、これがない感圧接着層１１のみの場合に比較して、前記疑似接着性シートの用途に対する感圧接着層の適合性および感圧接着層の疑似接着性のうち少なくとも一方の機能を高めるものであるとともに、当該機能層自体は対象シートに対する接着性を有しないものである。
　【００２７】
　機能層は、前記機能を発揮させるための機能剤の１種または複数種をもって形成する層である。
　【００２８】
　この機能剤としては、酸化防止剤、紫外線吸収防止剤、滑剤、アンチスリップ剤、微粒子充填剤、緩衝剤、帯電防止剤、耐ブロッキング防止剤、プリンタートナー定着剤がある。
　【００２９】
　従来、接着性シートにおける接着剤に対する前記機能剤として例示した添加剤の挙動または機能は、きわめて不明瞭であり、それらが複数添加されるとより不明瞭となり、接着性シートの設計に大きな支障となっていた。また、基材上に塗布する際の添加剤の分散性、塗工液の経時変化、塗工後の塗膜の形成挙動の変化をももたらす。
　【００３０】
　さらに、接着剤に添加剤を添加することにより、接着剤の劣化、経時黄変化、接着強度の経時変化、フォーム加工時におけるミシン目加工性や折り加工性の悪化を招いたり、積み重ねによるブロッキングの発生、接着させたくない部位への接着剤の付着、特に天然ゴム系感圧接着剤等を使用した際に生じやすい塗膜表面のベト付きの発生などを招く。
　【００３１】
　しかるに、本発明によれば、機能層を設けることにより、接着剤に悪影響を与えることなく、接着性シートの用途に対する適合性を機能層中の機能剤によって発揮させることができる。さらに、機能層は薄い膜厚のみでその機能を発揮させることができるので、相対的に接着剤に添加剤を添加する場合に比較して少量で足り、コストの低減を図ることができる。
　【００３２】
　また、従来の問題であったブロツキングに対する機能剤、たとえば微粒子充填剤を機能層中に設けることにより、少量の微粒子充填剤量とすることができる。
　【００３３】
　必要に応じて、感圧接着層中に機能層に悪影響を与えない粒径の、たとえば１μｍ未満の微粒子充填剤を添加することができる。これにより、感圧接着剤塗料の固形分の安定性、粘度やＰＨのコントロール性などが高まる。
　【００３４】
　感圧接着層の塗工が終了した段階または機能層の塗工が終了した段階で、その表面を約１〜１０ｋｇ／ｃｍ２で加圧し、表面の過度の突出を平坦にし、好適には３０〜５μｍの表面粗さに調整するのが好ましい。
　【００３５】
　他方、接着性シートは、現在葉書用途に多く使用されている。葉書用途への使用を例にすると葉書への隠蔽情報のプリントは、電子式複写による方法のほか、インキジェット印刷等各種印刷方法が採られている。電子式複写方法とインキジェット印刷を例にとれば、接着性シートに必要とされる適正な品質は、印刷方式毎に適正品質が異なり、例えば電子複写方式では、表面の電気抵抗、インキジェット印刷では表面のインキ吸収性がある。
　【００３６】
　この場合において、本発明に係る機能層は、電子複写印刷に対しては電気伝導剤層、プリンタートナー定着層、耐紫外線対策には、紫外線吸収剤層、配送用の伝票類用途に於いては、耐水化層等などとして形成できる。
　【００３７】
　機能層を設ける場合、通常は感圧接着層の接着能力は大きくする必要があるが、感圧接着層の接着力を大きくすることで、機能層を設けても接着に必要な接着力は充分に得ることができる。この接着力としては、用途に応じて感圧接着剤の基剤の種類、微粒子充填剤の種類、添加剤の種類、あるいはこれらの配合割合を選択することで調整できるが、好適には、市販のシーラーで圧着した際に、２５ｍｍ幅での剥離強度が２５ｇ以上が好ましい。
　【００３８】
　各機能層の各層の厚みは２ミクロン以下が望ましく、数層設ける場合には、総厚で５ミクロン以下が望ましく、それ以上になると接着強度が著しく落ちる場合があり、この場合は基材の表面粗さを増したり、より強い接着力を有する感圧接着層を設けたりする必要がある。
　【００３９】
　（実施例）
　各種の機能剤を、内添した場合と、機能層として分担させた場合との比較を表１および表２に示す。評価基準を表３に示す。
　【００４０】
　【表１】
　【００４１】
　【表２】
　【００４２】
　【表３】
　【００４３】
　この結果から、本発明に従って、機能層を設けることにより目的の特性を容易に得ることができることが判る。
　【００４４】
　【発明の効果】
　以上のとおり、本発明によれば、接着性シートとしての所要の特性を得るに際して、接着性シートの設計が容易である接着性シートを提供することができる。
【図面の簡単な説明】
　【図１】
　折り畳み疑似接着給与封筒の説明図である。
　【図２】
　三つ折り葉書の説明図である。
　【図３】
　二つ折り葉書の説明図である。
　【図４】
　一部折り畳みタイプの葉書の説明図である。
　【図５】
　機能層を設けた疑似接着性シートの断面図である。
　【図６】
　機能層を２層設けた疑似接着性シートの断面図である。
　【符号の説明】
　１…基材、２…感圧接着層、３…情報印刷面、４…宛名情報、１０…基材、１１…感圧接着層、１２…機能層。